(57)【要約】【課題】位置情報を用いて利用者の利便性をより向上させることができる移動体情報システムを提供する。【解決手段】情報発信端末装置とサーバと記憶手段とを備えた移動体情報システムであって、情報発信端末装置２０ａは自己の位置情報を取得し、取得した位置情報と利用者が入力した入力情報２１ａとを含む登録要求情報をサーバ４０に送信し、サーバは情報発信端末装置から受信した登録要求情報に含まれている位置情報に対応付けて、受信した登録要求情報に含まれている入力情報を記憶する。更に情報受信端末装置を備え、情報受信端末装置は自己の位置情報を取得し、取得した位置情報と情報提供要求信号とを含む提供要求情報をサーバに送信してサーバから提供情報を受信し、サーバは情報受信端末装置から受信した提供要求情報に含まれている位置情報に対応する入力情報を抽出し、抽出した入力情報を含む提供情報を情報受信端末装置に送信する。【選択図】        図１
2005072770.tif 000002
【特許請求の範囲】
【請求項１】
情報発信端末装置と、サーバと、記憶手段とを備え、情報発信端末装置が通信回線を介して前記サーバと通信可能な移動体情報システムであって、
情報発信端末装置は、自己の位置情報を取得し、取得した位置情報と利用者が入力した入力情報とを含む登録要求情報をサーバに送信し、
サーバは、情報発信端末装置から受信した登録要求情報に含まれている位置情報に対応付けて、受信した登録要求情報に含まれている入力情報を記憶する、
ことを特徴とする移動体情報システム。
【請求項２】
請求項１に記載の移動体情報システムであって、更に通信回線を介してサーバと通信可能な情報受信端末装置を備え、
情報受信端末装置は、自己の位置情報を取得し、取得した位置情報と情報提供要求信号とを含む提供要求情報をサーバに送信し、サーバから提供情報を受信し、
サーバは、情報受信端末装置から受信した提供要求情報に含まれている位置情報に対応する入力情報を抽出し、抽出した入力情報を含む提供情報を情報受信端末装置に送信する、
ことを特徴とする移動体情報システム。
【請求項３】
請求項２に記載の移動体情報システムであって、
サーバは、記憶手段に記憶されている入力情報に対応する位置情報に対応するエリア部を含ませた受信可能エリア情報を記憶しており、受信可能エリア情報を情報受信端末装置に送信し、
情報受信端末装置は、自己の現在の位置情報を取得し、取得した位置情報に応じて受信可能エリア情報に基づいたエリア部を識別可能に表示する、
ことを特徴とする移動体情報システム。
【請求項４】
情報発信端末装置と、情報受信端末装置と、サーバと、記憶手段とを備え、情報発信端末装置からサーバを介して情報受信端末装置に情報を送信する移動体情報システムであって、
情報発信端末装置は、利用者が入力した入力情報と、利用者が指示した情報受信端末装置の位置情報とを含む転送要求情報をサーバに送信し、
サーバは、位置情報に対応させた識別情報を記憶しており、あるいは位置情報に対応させた識別情報を取得し、情報発信端末装置から受信した転送要求情報に含まれている位置情報に対応する識別情報を抽出し、抽出した識別情報に対応する情報受信端末装置に、情報発信端末装置から受信した転送要求情報に含まれている入力情報に基づいた転送情報を送信し、
情報受信端末装置は、サーバから転送情報を受信する、
ことを特徴とする移動体情報システム。
【請求項５】
情報発信端末装置と、サーバと、記憶手段とを備え、
情報発信端末装置は、自己の位置情報を取得し、取得した位置情報と自己を特定可能な識別情報とを含む所在情報をサーバに送信し、
サーバは、情報発信端末装置から受信した所在情報を移動履歴情報として順次記憶する、
ことを特徴とする移動体情報システム。
【請求項６】
情報発信端末装置と、サーバと、記憶手段とを備え、
情報発信端末装置は、自己の位置情報を第１の所定タイミングで取得する毎に順次記憶し、第２の所定タイミングで、記憶している複数の位置情報と自己を特定可能な識別情報とを含む所在情報をサーバに送信し、
サーバは、情報発信端末装置から受信した所在情報を移動履歴情報として順次記憶する、
ことを特徴とする移動体情報システム。
【請求項７】
請求項５または６に記載の移動体情報システムであって、
情報発信端末装置から送信される所在情報には、位置情報毎に日時に関する情報が含まれている、
ことを特徴とする移動体情報システム。
【発明の詳細な説明】
【技術分野】
【０００１】
本発明は、端末装置（移動体）で取得した位置情報を用いた、移動体情報システムに関する。
【背景技術】
【０００２】
従来より、携帯電話等の携帯端末装置にて種々の店舗のホームページ等の情報が閲覧されている。これらの閲覧される情報は、プロバイダ等のサーバに予め記憶されている。
近年では、利用者がホームページのＵＲＬ（Uniform Resource Locator）を入力しなくとも、利用者の携帯端末装置の位置情報に基づいて周辺の店舗等の情報を配信するシステムが提案されている（例えば、特許文献１、特許文献２、及び特許文献３参照）。なお、携帯端末装置の位置情報は、ＧＰＳ（Global Positioning System）、携帯端末装置の基地局等から取得することができる。
また、位置情報は、特定の人または特定の車両の現在の居場所を捜索する場合にも用いられている。
【特許文献１】特開平１１−５５７２６号公報
【特許文献２】特開２００１−１３４６１８号公報
【特許文献３】特開２００２−３２９０２９号公報
【発明の開示】
【発明が解決しようとする課題】
【０００３】
位置情報に基づいた閲覧可能な情報は、予め店舗等が用意した情報であり、利用者の目的に対して必要な情報が含まれていない可能性がある。従来のシステムでは、利用者の目的に対して必要な情報を、他の利用者から閲覧可能に追加する等、利用者の間で種々の情報交換をすることができない。
また、居場所を捜索する場合、従来の方法では、捜索を開始した時点で位置情報を取得するため、その時点で携帯端末装置が通信不能状態であった場合、捜索を行うことができない。
本発明は、このような点に鑑みて創案されたものであり、位置情報を用いて利用者の利便性をより向上させることができる移動体情報システムを提供することを課題とする。
【課題を解決するための手段】
【０００４】
上記課題を解決するための手段として、本発明の第１発明は、請求項１に記載されたとおりの移動体情報システムである。
請求項１に記載の移動体情報システムは、情報発信端末装置と、サーバと、記憶手段とを備え、情報発信端末装置が通信回線を介して前記サーバと通信可能な移動体情報システムである。情報発信端末装置（例えば携帯端末装置）は、自己の位置情報を（ＧＰＳあるいは基地局等から）取得し、取得した位置情報と利用者が入力した入力情報（例えば、他の利用者に伝達を所望する情報等）とを含む登録要求情報をサーバに送信する。
サーバは、情報発信端末装置から受信した登録要求情報に含まれている位置情報に対応付けて、受信した登録要求情報に含まれている入力情報を記憶する。
【０００５】
また、本発明の第２発明は、請求項２に記載されたとおりの移動体情報システムである。
請求項２に記載の移動体情報システムは、請求項１に記載の移動体情報システムであって、更に通信回線を介してサーバと通信可能な情報受信端末装置を備える。情報受信端末装置（例えば、請求項１とは別の利用者の携帯端末装置）は、自己の位置情報を取得し、取得した位置情報と情報提供要求信号とを含む提供要求情報をサーバに送信し、サーバから提供情報を受信する。
サーバは、情報受信端末装置から受信した提供要求情報に含まれている位置情報に対応する入力情報を抽出し、抽出した入力情報を含む提供情報を情報受信端末装置に送信する。
【０００６】
また、本発明の第３発明は、請求項３に記載されたとおりの移動体情報システムである。
請求項３に記載の移動体情報システムは、請求項２に記載の移動体情報システムであって、サーバは、記憶手段に記憶されている入力情報に対応する位置情報に対応するエリア部を含ませた受信可能エリア情報を記憶しており、受信可能エリア情報を情報受信端末装置に送信する。
情報受信端末装置は、自己の現在の位置情報を取得し、取得した位置情報に応じて受信可能エリア情報に基づいたエリア部を識別可能に表示する。
表示方法としては、受信可能エリア部をマーキングした地図を表示させる方法や、近傍の受信可能エリアの名称を表示させる方法などがある。
【０００７】
また、本発明の第４発明は、請求項４に記載されたとおりの移動体情報システムである。
請求項４に記載の移動体情報システムは、情報発信端末装置と、情報受信端末装置と、サーバと、記憶手段とを備え、情報発信端末装置からサーバを介して情報受信端末装置に情報を送信する移動体情報システムである。情報発信端末装置は、利用者が入力した入力情報（例えば、情報受信端末装置の利用者に伝えたいメッセージ等）と、利用者が指示した情報受信端末装置の位置情報（例えば、情報受信端末装置の位置情報）とを含む転送要求情報をサーバに送信する。
サーバは、位置情報に対応させた識別情報を記憶しており、あるいは位置情報に対応させた識別情報を取得し、情報発信端末装置から受信した転送要求情報に含まれている位置情報に対応する識別情報を抽出する。そして、抽出した識別情報に対応する情報受信端末装置に、情報発信端末装置から受信した転送要求情報に含まれている入力情報に基づいた転送情報を送信する。そして、情報受信端末装置はサーバから転送情報を受信する。
【０００８】
また、本発明の第５発明は、請求項５に記載されたとおりの移動体情報システムである。
請求項５に記載の移動体情報システムは、情報発信端末装置と、サーバと、記憶手段とを備え、情報発信端末装置は、自己の位置情報を取得し、取得した位置情報と自己を特定可能な識別情報とを含む所在情報をサーバに送信する。そして、サーバは、情報発信端末装置から受信した所在情報を移動履歴情報として順次記憶する。
【０００９】
また、本発明の第６発明は、請求項６に記載されたとおりの移動体情報システムである。
請求項６に記載の移動体情報システムは、情報発信端末装置と、サーバと、記憶手段とを備え、情報発信端末装置は、自己の位置情報を第１の所定タイミングで取得する毎に順次記憶し、第２の所定タイミングで、記憶している複数の位置情報と自己を特定可能な識別情報とを含む所在情報をサーバに送信する。そして、サーバは、情報発信端末装置から受信した所在情報を移動履歴情報として順次記憶する。
【００１０】
また、本発明の第７発明は、請求項７に記載されたとおりの移動体情報システムである。
請求項７に記載の移動体情報システムは、請求項５または６に記載の移動体情報システムであって、情報発信端末装置から送信される所在情報には、位置情報毎に日時に関する情報が含まれている。
【発明の効果】
【００１１】
請求項１に記載の移動体情報システムを用いれば、利用者は自己の位置に関連した任意の入力情報を、当該位置に対応付けてサーバに記憶させることができる。そして、当該利用者のみならず他の利用者が、サーバに記憶されている「位置に対応付けられた入力情報」を受信することができるようにすれば、種々の位置に対応した種々の情報を、種々の利用者の間で自由に交換することができるので、便利である。
【００１２】
また、請求項２に記載の移動体情報システムによれば、任意の利用者が、請求項１にてサーバに記憶した入力情報（任意の利用者が、位置情報に対応付けて記憶させた情報）の中から、自己の位置に基づいた情報を受信することができる。例えば、その場所（位置）における伝言板として利用することもできるので、便利である。
【００１３】
また、請求項３に記載の移動体情報システムによれば、利用者は現在の位置に応じた情報を受信する際、どのエリアの情報を入手することができるのか、を識別可能に表示されたエリア部を確認することで、容易に判断できる。
【００１４】
また、請求項４に記載の移動体情報システムによれば、情報発信端末装置の利用者は、情報を送りたい相手（他の利用者）のメールアドレス等を知らなくとも、当該相手の位置が判れば、メールアドレス等の代わりに位置を用いて、当該相手に情報を送ることができる。
【００１５】
また、請求項５に記載の移動体情報システムによれば、サーバに順次記憶された移動履歴情報を利用することで、情報発信端末装置（つまり当該情報発信端末装置の所有者）の移動の履歴を、容易に確認することができる。
【００１６】
また、請求項６に記載の移動体情報システムによれば、情報発信端末装置は、各位置毎に位置情報をサーバに送信するのでなく、複数の位置に移動した履歴を記憶しており、第２の所定タイミングでこの履歴をまとめてサーバに送信する。このため、情報発信端末装置とサーバとの通信回数を低減し、サーバの負荷と通信費用とを低減することができる。
【００１７】
また、請求項７に記載の移動体情報システムによれば、移動の履歴を日時に対応させて確認することができ、便利である。
【発明を実施するための最良の形態】
【００１８】
以下に本発明を実施するための最良の形態を図面を用いて説明する。図１は、本発明の移動体情報システムにおける第１の実施の形態を説明するための概略構成図である。
◆［第１の実施の形態（図１〜図４）］
第１の実施の形態では、情報発信端末装置２０ａ（携帯電話、ＰＨＳ、ＰＤＡ、モバイルパソコン等の移動体端末装置（携帯端末装置））にて位置情報を取得し、取得した位置情報に関連する任意の入力情報を、位置情報に対応付けてサーバ４０に記憶する。なお、記憶された情報（位置情報に対応付けられた入力情報）は、第３者の情報受信端末装置２０ｂ（携帯電話、ＰＨＳ、ＰＤＡ、モバイルパソコン等の移動体端末装置（携帯端末装置））にてサーバ４０から受信することができる。
【００１９】
情報発信端末装置２０ａは、（複数の）衛星１０ａからの信号、または（複数の）基地局１０ｂからの信号に基づいて、自己の位置情報を取得する。位置情報の取得方法は従来技術で可能であるため、説明を省略する。
例えば図１に示すように、情報発信端末装置２０ａが「エリア：エリアＡ」内の「位置：Ａビル前」に居る場合、情報発信端末装置２０ａは衛星１０ａまたは基地局１０ｂ等からの信号に基づいて、自分の位置が「北緯ｘ度、東経ｙ度」であると認識する（この位置が実際には「エリアＡ」の「Ａビル前」である）（図１中の（１））。
なお本実施の形態では、「エリア」とは情報発信端末装置２０ａが、衛星１０ａまたは基地局１０ｂから位置情報に関する信号を受信できる領域を指し、「位置」とはエリア内における局所的な領域（例えば半径が数ｍ〜１０ｍ程度の領域）を指す。
【００２０】
情報発信端末装置２０ａとサーバ４０との間には、通信回線３０（インターネット等）と中継装置３０ａ等が設けられており、情報発信端末装置２０ａはサーバ４０と通信することが可能である。
例えば、利用者が情報発信端末装置２０ａから入力情報２１ａを入力し（図１中の（２））、登録要求情報の送信操作を行うと、情報発信端末装置２０ａは入力情報２１ａと位置情報とを含む登録要求情報をサーバ４０宛てに送信する（図１中の（３））。
サーバ４０は、登録要求情報を受信して、受信した登録要求情報に含まれている位置情報に対応付けて、受信した登録要求情報に含まれている入力情報を記憶する（登録情報４２に記憶していく）（図１中の（４））。なお、サーバ４０には記憶装置がアクセス可能に接続されている。
【００２１】
これにより、当該利用者が登録を所望する任意の情報（位置情報に関連した情報）を、サーバ４０に容易に登録することができる。
例えばＡビル前で待ち合わせの際、情報発信端末装置２０ａの利用者（ａａａ）は、「Ａビル前で待っていたが、Ｂビル前に移動した」ことをサーバ４０に登録しておくことができる。
【００２２】
次に図２を用いて、サーバ４０に記憶されている登録情報４２を、第３者が受信する手順について説明する。
情報受信端末装置２０ｂは、「エリアＡ」の「Ａビル前」に移動すると、当該位置に関する位置情報を取得する（衛星１０ａまたは基地局１０ｂからの信号に基づいて取得する）（図２中の（１））。ここで、情報受信端末装置２０ｂの利用者（例えばｂｂｂ）が情報受信端末装置２０ｂから登録情報の受信操作を行うと、情報受信端末装置２０ｂは位置情報と情報提供要求信号（受信要求信号）とを含む提供要求情報をサーバ４０宛てに送信する（図２中の（２））。
サーバ４０は、提供要求情報を受信して、受信した提供要求情報に含まれている位置情報と一致する登録情報を検索する（図２中の（３））。そして、位置情報が一致した登録情報における入力情報を含む提供情報を情報受信端末装置２０ｂに送信する（図２中の（４））。
【００２３】
情報受信端末装置２０ｂは、サーバ４０から提供情報を受信し、提供情報に含まれている入力情報を出力する（図２中の（５））。図２に示す例の場合、情報受信端末装置２０ｂは、「エリアＡ」の「Ａビル前」に対応する「Ｂビル前に移動します。（ａａａより）」という入力情報を含む提供情報をサーバ４０から受信して出力する。
このように、自己の位置に関連した情報の受信を所望する任意の利用者は、当該位置に関連した登録情報を、サーバ４０から容易に受信することができる。
例えばＡビル前で待ち合わせの際、情報受信端末装置２０ｂの利用者（ｂｂｂ）は、「利用者ａａａはＡビル前で待っていたが、Ｂビル前に移動した」ことをサーバ４０から受信した提供情報から直ちに知ることができる。
【００２４】
次に、図３を用いてサーバ４０が記憶している会員情報４１と登録情報４２について説明する。
図３（Ｂ）に示す登録情報４２は、既に説明したように，エリア及び位置に対応させてメッセージ等（入力情報）が記憶されている。なお、図３（Ｂ）に示す登録情報４２の例では、各登録情報を識別するための情報ＩＤ、各登録情報の登録者、及び登録日時も記憶されている。なお、メッセージ等（入力情報）は、テキスト情報の他にも、画像情報、音声情報等を用いることもできる。
図３（Ａ）に示す会員情報４１は、利用者に関する情報が記憶されている。図３（Ａ）に示す会員情報４１の例では、各会員を識別するための会員ＩＤ、当該会員ＩＤの端末装置のメールアドレス、当該会員の性別、生年月日、氏名等が記憶されている。
例えば情報発信端末装置２０ａまたは情報受信端末装置２０ｂからサーバ４０にアクセスする際、アクセス信号に会員ＩＤを含ませる。この場合サーバ４０は、アクセス信号に含まれている会員ＩＤと一致する会員ＩＤが会員情報４１にあると判断した場合のみ、アクセスを許可する。
【００２５】
なお、サーバ４０は、登録情報４２に記憶されているエリアあるいは位置を含む受信可能エリア情報を記憶しており、情報受信端末装置２０ｂから受信可能エリア情報の提供要求情報（当該情報受信端末装置２０ｂの位置情報も含んでいる）を受信すると、当該情報受信端末装置２０ｂからの位置情報に応じた受信可能エリア情報を抽出して送信する。
そして、情報受信端末装置２０ｂは、受信した受信可能エリア情報を出力する（図４参照）。
図４に示す例は、情報受信端末装置２０ｂが受信可能エリア情報を表示した例を示しており、この場合「エリアＡ」及び「エリアＢ」が識別可能に表示（図４中のハッチング部分）され、各エリアに対応する情報を受信することができる（各エリアに対応する登録情報が記憶されている）ことを示している。なお、表示された受信可能エリア情報内には、自己（情報受信端末装置２０ｂ）の位置（この場合、「エリアＡ」の「Ａビル前」）も表示される。
【００２６】
なお、サーバ４０が地図情報に受信可能エリア情報（ハッチング部分のみ）を重ねて情報受信端末装置２０ｂに送信してもよいし、サーバ４０が受信可能エリア情報（ハッチング部分）を情報受信端末装置２０ｂに送信し、地図情報は情報受信端末装置２０ｂに記憶させておき、情報受信端末装置２０ｂにて地図情報と受信可能エリア情報を重ねるようにしてもよい。
【００２７】
◆［第２の実施の形態（図５、図６）］
第２の実施の形態では、アドレス等はわからないが位置を特定できる情報受信端末装置２０ｂに向けて、情報発信端末装置２０ａから任意の情報を送信できる。
情報受信端末装置２０ｂは、位置情報を取得し（図５中の（１））、取得した位置情報と自己を特定可能な識別情報（この場合、会員ＩＤ「００２」）とを含む所在情報をサーバ４０に送信する（図５中の（２））。また、情報発信端末装置２０ａも同様に位置情報を取得し（図５中の（１））、位置情報と識別情報（この場合、会員ＩＤ「００１」）とを含む所在情報をサーバ４０に送信する（図５中の（２））。
【００２８】
サーバ４０は、情報受信端末装置２０ｂから受信した所在情報に基づいて、所在情報に含まれている識別情報に対応させて位置情報を記憶する（この場合、会員ＩＤ「００２」に対応させて、エリア「エリアＡ」と位置「Ａビル前」を記憶する）（図５中の（３））。また、同様に情報発信端末装置２０ａから受信した所在情報に基づいて、所在情報に含まれている識別情報に対応させて位置情報を記憶する（この場合、会員ＩＤ「００１」に対応させて、エリア「エリアＡ」と位置「位置Ａ１」を記憶する）（図５中の（３））。
【００２９】
ここで、情報発信端末装置２０ａの利用者「ａａａ」は、情報受信端末装置２０ｂの利用者「ｂｂｂ」のメールアドレスを知らないが、情報受信端末装置２０ｂの位置（Ａビル前）がわかっているとする。
例えば、利用者「ａａａ」は、情報発信端末装置２０ａを操作して、入力情報２２ａ（情報受信端末装置２０ｂに送信を所望する情報）を作成する（図５中の（４））。次に、利用者「ａａａ」は、送信先指示マップ２３ａを表示し、送信を所望する情報受信端末装置２０ｂがいる位置を選択（指示）する（送信先指示マップ２３ａ内の矢印部分）（図５中の（４））。そして、利用者「ａａａ」は、情報発信端末装置２０ａを操作して、入力情報２２ａと選択（指示）した情報受信端末装置２０ｂの位置（位置情報等）とを含む転送要求情報をサーバ４０に送信する（図５中の（５））。
【００３０】
サーバ４０は、転送要求情報を受信し、受信した転送要求情報に含まれている位置情報（この場合、「エリアＡ」の「Ａビル前」）と一致する位置情報を会員所在情報４３の中から抽出する。そして、位置情報が一致する会員のメールアドレスを抽出する（この場合「ｂｂｂ＠ｂｂ．ｎｅ．ｊｐ」を抽出する）（図５中の（６））。そして、サーバ４０は、抽出したメールアドレス宛てに、転送要求情報に含まれている入力情報２２ａに基づいた転送情報（この場合、メッセージ「こんにちは」）を送信する（図５中の（７））。
この結果、情報受信端末装置２０ｂは転送情報を受信して表示する（図５中の（８））。このように、情報発信端末装置２０ａの利用者「ａａａ」は、メールアドレスを知らない情報受信端末装置２０ｂの利用者「ｂｂｂ」にメッセージ等を送信することができ、便利である。
【００３１】
図６に、会員所在情報４３の例を示す。会員所在情報４３は、会員情報４１に対して位置情報（「エリア」及び「位置」）が追加されている。本実施の形態では、判り易くするために、会員所在情報４３に、メールアドレスや氏名等を記憶させているが、会員所在情報４３は会員ＩＤと位置情報が含まれていればよい。この場合、メールアドレス等は会員情報４２から、会員ＩＤに対応するメールアドレス等を抽出する。
なお、会員所在情報４３に各会員の外観を推定可能な特徴（性別、年齢に関する情報等）を記憶させておき、転送要求情報に当該特徴（性別、年齢等）を追加して指示できるようにすれば、特定位置に複数の情報受信端末装置２０ｂがある場合でも、転送を所望する会員が保有している情報受信端末装置２０ｂ宛てに、適切にメッセージ等を送信することができる。この場合サーバ４０は、位置情報と特徴（性別、年齢等）から会員ＩＤを選択し、当該会員ＩＤに対応するメールアドレス等を抽出する。
【００３２】
以上の説明では、情報受信端末装置２０ｂがサーバ４０に適宜所在情報を送信することで会員所在情報４３を作成するようにしたが、情報受信端末装置２０ｂから所在情報を送信しない場合の例を示す。
例えばサーバ４０は、情報発信端末装置２０ａから転送要求情報を受信すると、転送要求情報に含まれている位置情報に基づいた基地局１０ｂ（または基地局を管理する基地局管理サーバ等）にアクセスする。そして、基地局１０ｂは、転送要求情報に含まれている位置情報に対応する位置に存在する端末装置の識別情報を抽出し、抽出した識別情報をサーバ４０に送信する。サーバ４０は、基地局１０ｂから取得した識別情報が一致する会員のメールアドレス等を抽出する。このように、サーバ４０は位置情報に対応させた識別情報を取得して情報受信端末装置２０ｂにメッセージを転送することができる。
【００３３】
◆［第３の実施の形態（図７、図８）］
第３の実施の形態では、特定の情報発信端末装置２０ａが取得した位置情報を所定のタイミングで収集し、情報発信端末装置２０ａの利用者または第３者が、情報発信端末装置２０ａの移動の履歴（つまり、当該情報発信端末装置２０ａの保有者の移動の履歴）を知ることができるものである。特定利用者における、現在位置の捜索や勤務状態等を調査することに利用できる。
情報発信端末装置２０ａは、例えば一定時間毎（１５分毎等）に自己の位置情報を取得し、取得した位置情報と自己を特定可能な識別情報（例えば会員ＩＤ等）を含む所在情報をサーバ４０に送信する。
【００３４】
図７の例に示すように、例えば情報発信端末装置２０ａは、９時００分に「エリアＡ」の「位置Ａ１」にて、衛星１０ａ等からの信号に基づいて位置情報（この場合「エリアＡ」の「位置Ａ１」に対応する情報）を取得する（図７中の（１））。そして、取得した位置情報と自己の識別情報（例えば会員ＩＤ「００１」）とを含む所在情報をサーバ４０に送信する（図７中の（２））。サーバ４０は、受信した所在情報に含まれている識別情報に対応させて、所在情報に含まれている位置情報を（順次）記憶していく（図７中の（３））。情報発信端末装置２０ａは、更に９時１５分にも位置情報（この場合「エリアＢ」の「位置Ｂ１」に対応する情報）を取得し（図７中の（４））、所在情報をサーバ４０に送信する（図７中の（５））。サーバ４０は、受信した所在情報に含まれている識別情報に対応させて、所在情報に含まれている位置情報を（順次）記憶していく（図７中の（６））。
【００３５】
図８（Ａ）に受信した所在情報を記憶した移動履歴情報４４の例を示す。この移動履歴情報４４をエリアＡ、エリアＢ、エリアＤを含むマップ内に識別可能に表示した例が、移動履歴マップ４５（図８（Ｂ）参照）である。
移動履歴情報４４には、「会員ＩＤ」と「エリア」及び「位置」が記憶されている。また、時刻に対応付けて移動の履歴を示すために本実施の形態では「時刻」も記憶されているが、「時刻」は省略してもよい。以下、移動履歴情報４４の各項目について説明する。
「会員ＩＤ」には、情報発信端末装置２０ａを特定可能な識別情報が記憶される。この場合、当該情報発信端末装置２０ａの所有者の識別情報が記憶されているが、情報発信端末装置２０ａのメールアドレス、あるいはシリアル番号等、情報発信端末装置２０ａを特定可能な識別情報であればよい。
「エリア」及び「位置」は、既に説明した登録情報４２における「エリア」及び「位置」と同様であるので説明を省略する。
「時刻」には、当該情報発信端末装置２０ａが、その「エリア」及び「位置」に対する位置情報を取得した時刻（この例では、年月日と時：分）が記憶されている。
【００３６】
次に、移動履歴マップ４５について説明する。例えば移動履歴マップ４５は、サーバ４０の表示画面に出力される。なお、第３者の端末装置にサーバ４０から移動履歴マップ４５を送信するようにしてもよい。
移動履歴マップ４５は、移動履歴情報４４の「エリア」に記憶されている地図情報を含んでいる。本実施の形態に示す移動履歴情報４４の「エリア」には、エリアＡ、エリアＢ、エリアＤが記憶されているため、サーバ４０は、これらエリアＡ、エリアＢ、エリアＤの地図情報を移動履歴マップ４５内に表示する。なお、エリアＣは移動履歴情報４４には記憶されていないが、移動履歴マップ４５を表示させた場合に、エリアＡ及びエリアＤに隣接するエリアＣも表示させたほうがわかり易いため、エリアＣも表示させている。
次に、サーバ４０は表示した地図情報に、移動履歴情報４４に記憶されている「位置」及び「時刻」を重ねて表示し、各「位置」を移動の順に矢印で結ぶ。
【００３７】
このようにして作成された図８（Ｂ）に示す移動履歴マップ４５を確認すれば、会員ＩＤ「００１」に相当する利用者がどのように移動したか、容易に理解することができる。また、会員ＩＤ「００１」に相当する利用者が現在どこに居るのか、ということも容易に判断することができる。
従来の位置検索サービスでは、検索を行う際にサーバ４０側から情報発信端末装置２０ａ宛てに現在の位置情報の送信要求を行っていた。このため、この時点で情報発信端末装置２０ａが通信圏外に居る場合では検索を行うことができず、位置の推定すらできなかった。しかし、本実施の形態では、情報発信端末装置２０ａが現在通信圏外に居ても、それまでの履歴が移動履歴情報４４に記憶されていれば、現在どのあたりに居るであろうか推定することが可能となる。なお、所定時間以上経過しても所在情報が送信されてこなかった場合、サーバ４０が警告メッセージ等を出力するようにしてもよい。
【００３８】
以上の説明では、情報発信端末装置２０ａが位置情報を取得する毎に、取得した位置情報を１個含む所在情報をサーバ４０に送信したが、サーバ４０との通信毎にサーバの負荷及び通信費用が発生する。そこで、サーバ４０の負荷及び通信費用を抑制するために、情報発信端末装置２０ａにて位置情報を取得する毎に、情報発信端末装置２０ａ内に順次記憶しておき、数回分の所在情報を１回の通信でまとめてサーバ４０に送信するようにしてもよい。例えば情報発信端末装置２０ａは１５分毎（第１の所定タイミング）に位置情報を取得し、８回分の位置情報を記憶した後（第２の所定タイミング。例えば２時間毎）に、サーバ４０に８回分の位置情報を含む所在情報を１回送信する。
なお、情報発信端末装置２０ａが位置情報を取得する毎に送信する所在情報、及び数回分をまとめて１回で送信する所在情報は、日時に関する情報を省略してもよいが、本実施の形態ではどちらも日時に関する情報（時刻等）を位置情報毎に含んでいる。この場合、時刻に対応させて移動の履歴を確認することができるので、より好ましい。
【００３９】
なお、第２の所定タイミングは予め設定されている必要はない。例えば利用者による任意のタイミングを第２の所定タイミングとすることもできるし、所定の状態（例えば所定のエリアを外れた場合等）が発生したとき、とすることもできる。また、サーバ４０からの送信要求信号を受信したとき、を第２の所定タイミングとすることもできる。このように、第２の所定タイミングは種々のタイミングとすることができる。なお、第１の所定タイミングも同様に、種々のタイミングとすることができる。
【００４０】
◆［第４の実施の形態］
第４の実施の形態では、利用者が位置情報を利用してその位置に関する送信先情報（メールアドレス等）を取得できる。第４の実施の形態は、利用者がその位置に関係のある業者（店舗）等に情報を送信したいときに効果的である。例えば、利用者がある店舗内にいた場合、当該店舗に関する意見等を関係者に伝えることを所望しても、誰にどのように伝えればいいのか分からない場合が多い。第４の実施の形態では、利用者の位置に関する意見等の送信先を当該利用者に伝えることで、適切に意見等を収集することができる。
まず、利用者は、情報発信端末２０ａを利用して自己の位置情報と当該情報発信端末装置２０ａを識別可能な情報（メールアドレスあるいは会員ＩＤ等）を含む応答先要求情報をサーバ４０に送信する。サーバ４０には、予め位置情報に対応付けた送信先情報（当該位置情報に対応する店舗のメールアドレス等）が記憶されている。サーバは応答先要求情報を受信すると、位置情報と送信先情報とが対応付けられたデータベースを検索し、受信した応答先要求情報に含まれている位置情報に対応する送信先情報を抽出し、抽出した送信先情報を利用者の情報発信端末装置２０ａに送信する。情報発信端末装置２０ａは、サーバ４０から送信先情報を受信して表示し、利用者は表示された送信先情報を用いて意見等を送信することができる。
【００４１】
また、例えば店舗内にいる利用者が、その店舗の会員として登録することを所望する場合、以下のように容易に会員登録を行うことができる。
利用者は、自分が現在いる店舗の会員として登録を所望する場合、情報発信端末装置２０ａを利用して自己の位置情報と当該情報発信端末装置２０ａを識別可能な情報（メールアドレス等）を含む会員登録要求情報をサーバ４０に送信する。サーバ４０は、受信した会員登録要求情報に含まれている位置情報に対応した店舗の会員登録用の送信先情報を含む登録用メッセージを、利用者の情報発信端末装置２０ａに送信する。そして、利用者が取得した登録用メッセージに対して返答した場合、自動的にサーバ４０に会員登録メッセージが送信され、サーバ４０が会員登録を行う（記憶する）ようにすることができる。
もちろん、位置情報と情報発信端末装置２０ａのメールアドレス等を送信するだけで、会員登録されるようにしても良いが、利用者が会員登録されるのを知らずに送信してしまう可能性がある。この場合は、店内の一角に会員登録コーナーのような会員登録がされることが明示された場所を設け、そこの位置情報を送信することにより会員登録が行われるようにしてもよい。
【００４２】
本発明の移動体情報システムは、本実施の形態で説明した構成、外観、制御方法等に限定されず、本発明の要旨を変更しない範囲で種々の変更、追加、削除が可能である。
本発明の移動体情報システムは、本実施の形態にて説明した用途の他にも種々の用途に使用することが可能である。
会員情報４１、登録情報４２、会員所在情報４３、移動履歴情報４４、移動履歴マップ４５は、本実施の形態にて説明した項目、構成等に限定されるこのではない。
本実施の形態の説明に用いた数値等は一例であり、この数値等に限定されるものではない。
また、以上（≧）、以下（≦）、より大きい（＞）、未満（＜）等は、等号を含んでも含まなくてもよい。
【産業上の利用可能性】
【００４３】
本発明の移動体情報システムは、駅等に設置されている伝言板の代用（第１の実施の形態）、アドレスが判らない第３者へメールを送信する新サービスの提供（第２の実施の形態）、特定利用者の位置検索サービス（第３の実施の形態）に適用できる。
【図面の簡単な説明】
【００４４】
【図１】本発明の移動体情報システムにおける、第１の実施の形態を説明するための概略構成図である。
【図２】本発明の移動体情報システムにおける、第１の実施の形態を説明するための概略構成図である。
【図３】会員情報４１、登録情報４２の例を説明する図である。
【図４】地図情報に、受信可能エリア情報と自己の位置情報とを重ねて表示した例を説明する図である。
【図５】第２の実施の形態を説明するための概略構成図である。
【図６】会員所在情報４３の例を説明する図である。
【図７】第３の実施の形態を説明するための概略構成図である。
【図８】移動履歴情報４４、移動履歴マップ４５の例を説明する図である。
【符号の説明】
【００４５】
１０ａ    衛星
１０ｂ    基地局
２０ａ    情報発信端末装置
２０ｂ    情報受信端末装置
３０      通信回線
３０ａ    中継装置
４０      サーバ
【図１】
2005072770.tif 000003
【図２】
2005072770.tif 000004
【図３】
2005072770.tif 000005
【図４】
2005072770.tif 000006
【図５】
2005072770.tif 000007
【図６】
2005072770.tif 000008
【図７】
2005072770.tif 000009
【図８】
2005072770.tif 000010